(57)【要約】【課題】  ヨークの製造時間を短縮し、さらに、確実な組み立て作業を実現する。【解決手段】  湯口を有する鋳型を用いる鋳造法により、底となる底面部２３を有する筒状の筒状部２１とその筒状部２１の内部に設けられたコア２７とを有するヨーク６を形成し、湯口の形状を有するゲート部６ｂを筒状部２１の外周面６ａに設けることで、ヨーク６の外周面６ａにゲート部６ｂを位置付けるようにした。これにより、ゲート部６ｂはヨーク６の外周面６ａに位置するため、ゲート部６ｂを切断又は研磨等して取り除く必要がなくなり、ヨーク６の製造時間を短縮することができ、さらに、ゲート部６ｂが邪魔にならず、確実な組み立て作業を実現することができる。【選択図】    図３
2005271250.tif 000002
【特許請求の範囲】
【請求項１】
湯口を有する鋳型を用いる鋳造法により形成され、底となる底面部を有する筒状部と、その筒状部の内部に設けられコイルが巻回されるコアと、その筒状部の外周面に設けられ前記湯口の形状を有するゲート部と、を具備するヨーク。
【請求項２】
請求項１記載のヨークと、
前記ヨークの前記コアに巻回されたコイルと、
前記コアに対向する位置に位置付けられて前記ヨークに揺動自在に設けられ、その揺動方向と略平行に印字用ワイヤを支持するアーマチュアと、
を具備するワイヤドットプリンタヘッド。
【請求項３】
前記アーマチュアの揺動動作を制御する駆動回路を有する回路基板と、
前記駆動回路に接続されて電気が流れる引出線を有する引出部と、
をさらに具備し、
前記ヨークは、前記回路基板上に前記ゲート部を前記引出部側に位置付けて設けられているワイヤドットプリンタヘッド。
【請求項４】
請求項２又は３記載のワイヤドットプリンタヘッドと、
前記ワイヤドットプリンタヘッドに対向するプラテンと、
前記ワイヤドットプリンタヘッドを保持し前記プラテンに沿って往復移動するキャリッジと、
前記ワイヤドットプリンタヘッドと前記プラテンとの間に印字媒体を搬送する印字媒体搬送部と、
を具備し、
前記ワイヤドットプリンタヘッド、前記キャリッジ及び前記印字媒体搬送部を駆動制御して、印字データに基づく印字を実行するようにしたワイヤドットプリンタ。
【発明の詳細な説明】
【技術分野】
【０００１】
本発明は、ヨーク、ワイヤドットプリンタヘッド及びワイヤドットプリンタに関する。
【背景技術】
【０００２】
ワイヤドットプリンタヘッドは、印字用のワイヤが連結されたアーマチュアを印字位置と待機位置との間で揺動させ、アーマチュアを印字位置へ揺動させたときにワイヤの先端部を用紙等の印字媒体に衝突させることによって印字を行う装置である。
【０００３】
ワイヤドットプリンタヘッドの中には、揺動対象とするアーマチュアの周囲にコイルにより磁束を発生させ、アーマチュアを待機位置から印字位置へ吸引する磁気回路を生成することで印字を行う装置が提案されている。
【０００４】
このようなワイヤドットプリンタヘッドは、コイルが巻回されるコアを有するヨークを備えている。このヨークは、例えば精密鋳造法により形成されている（特許文献１参照）。精密鋳造法としては、ロストワックス法等が挙げられる。精密鋳造法では、鋳型にヨーク用の材料を流し込むため、その湯口が鋳型に形成されている。したがって、精密鋳造法により形成されたヨークの一部分には、湯口の形状を有するゲート部が形成されてしまう。通常、このゲート部はヨークの表面から突出しているため、切断又は研磨されて取り除かれる。
【０００５】
【特許文献１】特開平６−３３１９９号公報
【発明の開示】
【発明が解決しようとする課題】
【０００６】
しかしながら、ゲート部を取り除くためには、その切断工程又は研磨工程を行うため、ヨークの製造時間が長くなり、その生産性が低下してしまう。
【０００７】
一方、ワイヤドットプリンタヘッドの組み立て時には、他の部材がヨーク上に積層されて設けられる。このため、ヨークの製造時間の短縮を目的として、ヨーク上に形成されたゲート部を取り除かずに残しておいた場合には、ワイヤドットプリンタヘッドの組み立て時にゲート部が邪魔になり、ゲート部の位置によっては、ヨーク上に他の部材を取り付けることができないことがある。したがって、ヨーク上に形成されたゲート部を取り除かないと、確実な組み立て作業を行うことは困難である。
【０００８】
本発明の目的は、ヨークの製造時間を短縮し、さらに、確実な組み立て作業を実現することである。
【課題を解決するための手段】
【０００９】
本発明は、湯口を有する鋳型を用いる鋳造法により、底となる底面部を有する筒状の筒状部とその筒状部の内部に設けられコイルが巻回されるコアとを有するヨークを形成し、その筒状部の外周面に、湯口の形状を有するゲート部を設けることで、ヨークの外周面にゲート部を位置付けるようにした。
【発明の効果】
【００１０】
本発明によれば、ゲート部がヨークの外周面に位置するため、ゲート部を取り除く必要はなくなり、ヨークの製造時間を短縮することができる。さらに、ゲート部が邪魔にならず、確実な組み立て作業を実現することができる。
【発明を実施するための最良の形態】
【００１１】
本発明を実施するための最良の一形態について図１ないし図４を参照して説明する。
【００１２】
＜ワイヤドットプリンタヘッド＞
まず、ワイヤドットプリンタヘッド１の全体の構成について図１ないし図３を参照して説明する。図１は本実施の形態のワイヤドットプリンタヘッド１を概略的に示す中央縦断正面図、図２はワイヤドットプリンタヘッド１の一部を概略的に示す分解斜視図、図３はワイヤドットプリンタヘッド１の一部を概略的に示す外観斜視図である。
【００１３】
ワイヤドットプリンタヘッド１は、取付ねじ（図示せず）によって結合されるフロントケース２とリヤケース３とを備えている。これらの間には、アーマチュア４、ワイヤガイド５、ヨーク６、アーマチュアスペーサ７及び回路基板８等が設けられている。
【００１４】
アーマチュア４は、板状に形成され長さ方向（アーム９が伸びる方向）の一端に印字用ワイヤ（以降、単にワイヤとする）１０を支持するアーム９、アーム９の幅方向の両側面に設けられ磁気回路を形成するための磁気回路形成部材１１及び回動中心（揺動中心）となる支点軸１２を備えている。ワイヤ１０はアーム９の一端にロウ付けされている。その他端側のアーマチュア４の端部には、円弧状部１３が形成されている。磁気回路形成部材１１には、被吸引面１４が設けられており、この被吸引面１４はアーマチュア４の長手方向の中央部分に位置付けられている。
【００１５】
このようなアーマチュア４はヨーク６の軸心に対して放射状に複数配置されている。そして、アーマチュア４は、その支点軸１２を中心としてヨーク６から離反する方向に回動自在（揺動自在）な状態でそれぞれヨーク６の表面に支持されており、コイルスプリング等の付勢部材１５によってヨーク６から離反する方向に付勢されている。付勢部材１５は付勢動作が可能に設けられている。
【００１６】
ワイヤガイド５は、ワイヤ１０の先端部が印字媒体の所定位置に衝突するようにワイヤ１０を摺動自在にガイドする。また、フロントケース２には、ワイヤ１０の先端部を所定のパターンに整列させるとともにワイヤ１０を摺動自在にガイドする先端ガイド１６が設けられている。なお、ワイヤ１０は、アーマチュア４が印字位置へ揺動した場合に、アーマチュア４の揺動動作に伴い、その先端部が所定の位置、例えば用紙等の印字媒体に衝突する位置まで移動する。
【００１７】
リヤケース３には、一端側に底面部１７を有する円筒形状部１８が設けられている。底面部１７の中心部分には、金属製の環状のアーマチュアストッパ１９が取付けられる取付用凹部２０が形成されている。アーマチュアストッパ１９は取付用凹部２０に嵌め込まれることにより取付けられている。ここで、アーマチュア４が付勢部材１５により印字位置から揺動すると、アーマチュア４の一部であるアーム９がアーマチュアストッパ１９に当接し、アーマチュア４の揺動は停止する。したがって、アーマチュアストッパ１９は、アーマチュア４の待機位置を定める機能を有している。
【００１８】
ヨーク６は、同心円状に設けられた径の異なる一対の筒状部２１，２２を有している。各筒状部２１，２２の軸心方向（図１中の紙面上下方向、すなわちヨーク６の軸心方向）の寸法は、互いに等しく設定されている。外周側の筒状部２１と内周側の筒状部２２とは、軸心方向の一端側を閉塞するように設けられた底面部２３により一体化されている。なお、ヨーク６は、例えば、磁気特性に優れた磁性材料であるＰＭＤ（パーメンジュール）材料を用いて形成されている。このようなヨーク６は、底面部２３と反対側の開放された側をリヤケース３の開放された側に対向させた状態で、フロントケース２とリヤケース３との間に挟持されている。
【００１９】
外周側の筒状部２１には、アーマチュア４の数と同数である複数の窪み２４が形成されている。これらの窪み２４は、その内周面がアーマチュア４の円弧状部１３の外周面の曲率半径と略同一の曲率半径に形成された凹面形状を有している。窪み２４には、アーマチュア４の一端側に形成された円弧状部１３が摺動自在に嵌め込まれる。
【００２０】
内周側の筒状部２２には、環状形状を有する被嵌合部２５が設けられている。被嵌合部２５は、内周側の筒状部２２に対して同心円状に位置するように内周側の筒状部２２に一体に設けられている。被嵌合部２５の外径は、内周側の筒状部２２の外径よりも小さく設定されている。したがって、内周側の筒状部２２には、被嵌合部２５によって段地部２６が形成されている。
【００２１】
底面部２３には、外周側の筒状部２１と内周側の筒状部２２との間に環状に配置された複数のコア２７が一体に設けられている。ヨーク６の軸心方向における各コア２７の寸法は、ヨーク６の軸心方向における筒状部２１，２２の寸法と等しく設定されている。
【００２２】
各コア２７におけるヨーク６の軸心方向の一端には、それぞれ磁極面２８が形成されている。コア２７の磁極面２８は、アーマチュア４に設けられた磁気回路形成部材１１の被吸引面１４に対向するように設けられている。また、各コア２７の外周には、コイル２９がそれぞれ装着されている。すなわち、ヨーク６は、コイル２９がそれぞれ巻回された複数のコア２７を環状に有している。なお、本実施の形態では、全てのコイル２９の巻回方向が等しく設定されているが、これに限るものではなく、例えば、巻回方向を異ならせたコイルが選択的に配置されても良い。
【００２３】
このようなヨーク６は、溶融した磁性材料が流し込まれる湯口を有する鋳型を使用する精密鋳造法により形成されている。精密鋳造法としては、ロストワックス（ＬｏｓｔＷａｘ）法が用いられる。ここでは、ヨーク６の外周面６ａに鋳型の湯口を対向させてロストワックス法によりヨーク６が形成される。すなわち、鋳型は、その湯口がヨーク６の外周面６ａに対向するように形成されている。なお、湯口は、鋳型内のヨーク６の型部分まで伸びる穴であり、ヨーク６の型部分まで溶融した磁性材料を供給する。
【００２４】
このように形成されたヨーク６は、底となる底面部２３を有する円筒状に形成されており、その内部の底面部２３に設けられた複数のコア２７を有し、ヨーク６の外周面６ａに設けられ凸状に形成されたゲート部６ｂを有している（図１及び図３参照）。この凸状のゲート部６ｂは、鋳型に湯口が存在するために形成される部分であり、鋳型の湯口の形状になっている。複数のコア２７は、ヨーク６の内部、すなわち筒状部２１の内部に位置付けられて底面部２３に設けられている。また、外周面６ａはヨーク６の軸心方向に平行な面である。なお、ヨーク６は円筒状に形成されているが、これに限るものではなく、例えば四角筒状や三角筒状等に形成されても良い。
【００２５】
回路基板８は、印字位置と待機位置との間におけるアーマチュア４の揺動を制御するための駆動回路を備えている。このような回路基板８は、ヨーク６の軸心方向に略直交するように設けられている。回路基板８の駆動回路は、印字動作に際して複数のアーマチュア４の中から任意のアーマチュア４を選択的に揺動させる。すなわち、駆動回路は、印字動作に際して複数のコイル２９の中から任意のコイル２９に選択的に電流を供給する。
【００２６】
回路基板８には、図３に示すように、ヨーク６の軸心方向に略直交する方向に伸びる引出部８ａが接続されている。この引出部８ａは、駆動回路に接続された引出線８ｂを有している。引出線８ｂは、電気が流れる線であり、ヨーク６の軸心方向に略直交するように伸びている。引出部８ａには、後述するワイヤドットプリンタ５０の駆動制御部７２に駆動回路を接続するためのコネクタ部８ｃが設けられている。例えば、引出部８ａは、フィルム等の可撓性を有する可撓部材上に引出線８ｂがプリントされて形成されている。なお、回路基板８上には、ヨーク６がそのゲート部６ｂを引出部８ａ側に位置付けて（例えば引出部８ａの引出方向に向けて）設けられている。
【００２７】
アーマチュアスペーサ７は、ヨーク６の筒状部２１，２２の径と略同一径を有する一対のリング形状部３０，３１と、アーマチュア４間に位置するように一対のリング形状部３０，３１間に放射状に掛け渡された複数のガイド部３２と、を有している。これらのガイド部３２がアーマチュア４に対する側磁路となる。外周側のリング形状部３０及び内周側のリング形状部３１は、同心円状に設けられている。外周側のリング形状部３０、内周側のリング形状部３１及びガイド部３２は一体に成形されている。このようなアーマチュアスペーサ７は、例えば、磁気特性に優れた磁性材料であるパーメンジュール材料を用いて形成されている。
【００２８】
アーマチュアスペーサ７がヨーク６上に設けられると、外周側のリング形状部３０及び内周側のリング形状部３１はヨーク６の筒状部２１，２２にそれぞれ当接し、内周側のリング形状部３１は、被嵌合部２５に嵌合する。なお、内周側のリング形状部３１の内径は、被嵌合部２５の外径と同等あるいは若干大きくなるように設定されている。
【００２９】
各ガイド部３２は、リング形状部３０，３１の略半径方向に沿って、コア２７の磁極面２８から離反する方向であって斜め方向に延出するサイドヨーク部３３を備えている。このサイドヨーク部３３は、内周側のリング形状部３１から外周側のリング形状部３０へ近づく程幅広になる羽根形状とされている。
【００３０】
アーマチュアスペーサ７には、複数のガイド部３２が一対のリング形状部３０，３１間に掛け渡されているため、リング形状部３０，３１の半径方向に沿って開口するスリット状のガイド溝３４が確保されている。各ガイド溝３４は、各ガイド部３２のサイドヨーク部３３がアーマチュア４の揺動を妨げることのない程度に磁気回路形成部材１１に近接するような幅寸法で形成されている。
【００３１】
また、ガイド溝３４は、外周側のリング形状部３０まで連通しており、外周側のリング形状部３０におけるガイド溝３４には、リング形状部３０の外径方向に沿ってガイド溝３４の両側となる位置に、ガイド溝３４に連続して開口する切欠部である軸受溝３５が形成されている。この軸受溝３５には、アーマチュア４の支点軸１２が嵌め込まれる。すなわち、アーマチュア４の支点軸１２は、ヨーク６及びアーマチュアスペーサ７によってアーマチュア４がコア２７に対向するように保持されている。
【００３２】
ヨーク６とアーマチュアスペーサ７との間には、複数のアーマチュア４の支点軸１２とヨーク６との接触を防止するピンサポートプレート３６が設けられており、アーマチュアスペーサ７上には、複数のアーマチュア４の支点軸１２を押さえる押さえ部材３７が設けられている。
【００３３】
ピンサポートプレート３６は、複数のアーマチュア４の揺動を妨げないように環状に形成されており、複数の接触防止部３８を有している。複数の接触防止部３８は、ヨーク６と複数のアーマチュア４との間にそれぞれ設けられている。また、ピンサポートプレート３６は、ヨーク６のコア２７とアーマチュア４との磁路を最短距離で構成するため、例えば厚さが０．２０ｍｍ程度である板状に形成され、ヨーク６上に設けられている。ピンサポートプレート３６の表面には、硬化処理が施されている。硬化処理としては、例えば窒化処理が用いられている。
【００３４】
押さえ部材３７は、フロントケース２とリヤケース３とが取付ねじにより結合されることで、複数のアーマチュア４の支点軸１２を押さえる板状の部材である。この押さえ部材３７は、アーマチュア４の揺動を妨げないように環状に形成されており、複数の溝部３９を有している。複数の溝部３９はアーマチュア４の幅寸法と略同じ幅寸法でその半径方向にそれぞれ伸びている。押さえ部材３７の表面には、硬化処理が施されている。硬化処理としては、例えば窒化処理が用いられている。
【００３５】
なお、アーマチュア４の支点軸１２の直径は約０．９０ｍｍであり、軸受溝３５を構成する部分のアーマチュアスペーサ７の厚さは約０．８０ｍｍである。したがって、アーマチュア４の支点軸１２が軸受溝３５に嵌め込まれると、支点軸１２は軸受溝３５から約０．１０ｍｍだけはみ出て押さえ部材３７に当接するため、確実に保持される。
【００３６】
＜ワイヤドットプリンタ＞
次に、上述したようなワイヤドットプリンタヘッド１を備えるワイヤドットプリンタ５０について図４を参照して説明する。図４は本実施の形態のワイヤドットプリンタ５０を概略的に示す縦断側面図である。
【００３７】
ワイヤドットプリンタ５０は本体ケース５１を備えている。この本体ケース５１の前面５２には、開口部５３が形成されている。開口部５３には、手差しトレイ５４が開閉自在に設けられている。また、本体ケース５１の前面５２側の下部には、給紙口５５が形成され、背面５６側には、排紙受け５７が設けられている。さらに、本体ケース５１の上面５８には、開閉カバー５９が回動自在に設けられている。ここで、開かれた状態の開閉カバー５９を図４中に仮想線で示す。
【００３８】
本体ケース５１内には、印字媒体搬送経路である用紙搬送経路６０が設けられている。この用紙搬送経路６０の用紙搬送方向上流側は、開放状態の手差しトレイ５４の延長面上に配置された給紙通路６１と、給紙口５５に通じる給紙通路６２とに接続され、用紙搬送方向下流側は排紙受け５７に接続されている。給紙通路６２には、用紙を搬送するトラクタ６３が設けられている。
【００３９】
用紙搬送経路６０には、搬送ローラ６４と押さえローラ６５とが対向配置されており、押さえローラ６５は搬送ローラ６４へ圧接されている。これら搬送ローラ６４と押さえローラ６５とは、印字媒体である用紙を搬送し、印字媒体搬送部である用紙搬送部を構成している。さらに、用紙搬送経路６０には、搬送される用紙に対して印字動作を行うプリンタ部６６が設けられており、排紙受け５７の入口には、排紙ローラ６７が設けられている。この排紙ローラ６７へ圧接された押さえローラ６８が開閉カバー５９の自由端側に回転自在に支持されている。
【００４０】
プリンタ部６６は、用紙搬送経路６０中に配置されたプラテン６９、このプラテン６９に沿って用紙搬送経路６０と直交する方向に往復動自在なキャリッジ７０、キャリッジ７０に搭載された上述したようなワイヤドットプリンタヘッド１及びインクリボンカセット７１等から構成されている。なお、インクリボンカセット７１は着脱可能に設けられている。
【００４１】
キャリッジ７０はモータ（図示せず）によって駆動され、プラテン６９に沿って往復移動する。ワイヤドットプリンタヘッド１は、キャリッジ７０がプラテン６９に沿って往復移動することに伴って主走査方向に往復移動する。このため、本実施の形態では、キャリッジ７０やモータ等によってヘッド駆動機構が実現されている。また、ワイヤドットプリンタ５０は、本体ケース５１内の各部を制御する駆動制御部７２を内蔵しており、この駆動制御部７２がプリンタ部６６、トラクタ６３及びモータ等の各部を駆動制御する。
【００４２】
このような構成において、用紙として単票を用いる場合には、手差しトレイ５４から給紙し、用紙として連続紙を用いる場合には、給紙口５５から給紙する。いずれの用紙（図示せず）も、搬送ローラ６４により搬送され、ワイヤドットプリンタヘッド１により印字されて、排紙ローラ６７により排紙受け５７に排紙される。
【００４３】
印字は、ワイヤドットプリンタヘッド１において選択的にコイル２９を励磁することにより、アーマチュア４がコア２７の磁極面２８に吸引されて支点軸１２を中心に回動し、ワイヤ１０がインクリボン（図示せず）を介してプラテン６９上の用紙に押し付けられることによって行われる。コイル２９への通電が遮断されると、アーマチュア４が付勢部材１５の付勢力により復帰してアーマチュアストッパ１９により待機位置で停止する。なお、ここでは、印字媒体として用紙を用いたが、これに限るものではなく、例えば、加圧されることにより加圧部分が発色する感圧発色紙を用いることも可能である。印字媒体として感圧発色紙を用いる場合には、ワイヤドットプリンタヘッド１が備えるワイヤ１０の圧力により加圧された部分が発色することによって、印字が行われる。
【００４４】
ワイヤドットプリンタ５０による印字動作に際しては、駆動制御部７２の制御により、印字データに基づいて選択的にコイル２９への通電が行われる。すると、選択されたコイル２９が取付けられているコア２７から、このコア２７に対向して配置されているアーマチュア４の磁気回路形成部材１１、この磁気回路形成部材１１に対向する一対のサイドヨーク部３３、ガイド部３２、ヨーク６の外周側の筒状部２１ならびに内周側の筒状部２２、底面部２３を介して、再びコア２７に至る磁気回路が形成される。
【００４５】
この磁気回路の形成により、磁気回路形成部材１１の被吸引面１４とコア２７の磁極面２８との間には、磁気回路形成部材１１をコア２７の磁極面２８へ引き寄せる吸引力が発生する。この吸引力により、アーマチュア４が支点軸１２を中心として、磁気回路形成部材１１の被吸引面１４がコア２７の磁極面２８に吸引される方向に揺動する。なお、本実施の形態では、アーマチュア４の磁気回路形成部材１１の被吸引面１４がコア２７の磁極面２８に当接する位置を印字位置とする。
【００４６】
アーマチュア４が印字位置へ揺動することにより、ワイヤ１０の先端部が用紙側へ突出する。このとき、ワイヤドットプリンタヘッド１と用紙との間にインクリボンが介在しているため、ワイヤ１０の圧力がインクリボンを介して用紙に伝達され、インクリボンのインクが用紙に転写されることにより印字が行われる。
【００４７】
コイル２９への通電が遮断されると、発生していた磁束が消滅するため、磁気回路も消滅する。これにより、磁気回路形成部材１１をコア２７の磁極面２８へ引き寄せる吸引力がなくなる。アーマチュア４は、付勢部材１５による付勢力によってヨーク６から離反する方向に付勢され、待機位置へ向けて支点軸１２を中心として揺動する。すなわち、アーマチュア４は待機位置へ向けて揺動し、そのアーム９がアーマチュアストッパ１９に当接することによって待機位置で停止する。
【００４８】
このような印字動作が高速（例えば印字速度＝２５００回／秒）に行われる。このとき、アーマチュア４は、例えば２５００回／秒で印字位置と待機位置との間を揺動することになる。
【００４９】
このように本実施の形態では、湯口を有する鋳型を用いる鋳造法により、底となる底面部２３を有する筒状の筒状部２１とその筒状部２１の内部に設けられたコア２７とを有するヨーク６を形成し、湯口の形状を有するゲート部６ｂを筒状部２１の外周面６ａに設けることで、ヨーク６の外周面６ａにゲート部６ｂを位置付けるようにした。これにより、ゲート部６ｂはヨーク６の外周面６ａに位置するため、ゲート部６ｂを切断又は研磨して取り除く必要がなくなり、ヨーク６の製造時間を短縮することができる。さらに、ゲート部６ｂは組み立ての際に邪魔にならず、確実な組み立て作業を実現することができる。特に、ゲート部６ｂが、ヨーク６上に積層されて設けられる他部材の組み立てを妨げることはない。
【００５０】
なお、本実施の形態のワイヤドットプリンタヘッド１は、前述したようなヨーク６と、ヨーク６のコア２７に巻回されたコイル２９と、コア２７に対向する位置に位置付けられてヨーク６に揺動自在に設けられその揺動方向と略平行にワイヤ１０を支持するアーマチュア４と、を具備することから、ヨーク６の製造時間を短縮し、さらに、確実な組み立て作業を実現することができる。
【００５１】
また、本実施の形態では、アーマチュア４の揺動動作を制御する駆動回路を有する回路基板８と、駆動回路に接続されて電気が流れる引出線８ｂを有する引出部８ａとをさらに具備し、ヨーク６は、回路基板８上にゲート部６ｂを引出部８ａ側に位置付けて設けられていることから、ゲート部６ｂは引出部８ａ用に設けられたスペースに位置するため、ゲート部６ｂ用のスペースを確保する必要はなく、ワイヤドットプリンタヘッド１の大型化を防止することができる。
【００５２】
また、本実施の形態のワイヤドットプリンタ５０は、前述したようなワイヤドットプリンタヘッド１と、ワイヤドットプリンタヘッド１に対向するプラテン６９と、ワイヤドットプリンタヘッド１を保持しプラテン６９に沿って往復移動するキャリッジ７０と、ワイヤドットプリンタヘッド１とプラテン６９との間に印字媒体を搬送する印字媒体搬送部である搬送ローラ６４及び押さえローラ６５と、を具備し、ワイヤドットプリンタヘッド１、キャリッジ７０、搬送ローラ６４及び押さえローラ６５を駆動制御して、印字データに基づく印字を実行するようにしたことから、ヨーク６の製造時間を短縮し、さらに、確実な組み立て作業を実現することができる。
【図面の簡単な説明】
【００５３】
【図１】本発明の実施の一形態のワイヤドットプリンタヘッドを概略的に示す中央縦断正面図である。
【図２】本発明の実施の一形態のワイヤドットプリンタヘッドの一部を概略的に示す分解斜視図である。
【図３】本発明の実施の一形態のワイヤドットプリンタヘッドの一部を概略的に示す外観斜視図である。
【図４】本発明の実施の一形態のワイヤドットプリンタを概略的に示す縦断側面図である。
【符号の説明】
【００５４】
１        ワイヤドットプリンタヘッド
４        アーマチュア
６        ヨーク
６ａ      外周面
６ｂ      ゲート部
８        回路基板
８ｂ      引出線
８ａ      引出部
１０      印字用ワイヤ（ワイヤ）
２１      筒状部
２３      底面部
２７      コア
２９      コイル
５０      ワイヤドットプリンタ
６４      印字媒体搬送部（搬送ローラ）
６５      印字媒体搬送部（押さえローラ）
６９      プラテン
７０      キャリッジ
【図１】
2005271250.tif 000003
【図２】
2005271250.tif 000004
【図３】
2005271250.tif 000005
【図４】
2005271250.tif 000006